(57)【要約】【課題】両面印刷時の用紙の裏写りを防止するため、画像出力時にその濃度を一律に低下させても、出力画像の判読性を維持できるようにする。【解決手段】入力画像を出力画像に変換する画像処理手段を備えた画像形成装置１であって、両面印刷時における出力用紙の裏写りの有無を判定する用紙判定手段１０２と、用紙判定手段１０２が裏写り有と判定したとき、入力画像の彩度値のうち所定の彩度値以下の彩度を無彩度に変換する色補正部１０６と、前記色補正部１０６で変換された入力画像の濃度を一律に低下させる墨入れ処理部１０７（又はγ補正部１０８）と、を有し、前記墨入れ処理部１０７（又はγ補正部１０８）で前記入力画像の濃度を低下させて前記裏写りを防止する。【選択図】図１
2015051610.tif 000002
【特許請求の範囲】
【請求項１】
入力画像を出力画像に変換する画像処理手段を備えた画像形成装置であって、
両面印刷を行った時に出力用紙の裏写りの有無を判定する裏写り判定手段と、
裏写り判定手段が裏写り有と判定したとき、入力画像の彩度値のうち所定の彩度値以下の彩度を無彩度に変換する彩度変換手段と、
前記彩度変換手段で変換された入力画像の濃度を一律に低下させる濃度低下手段と、を有し、
前記濃度低下手段で前記入力画像の濃度を低下させて前記裏写りを防止する画像形成装置。
【請求項２】
請求項１に記載された画像形成装置において、
前記濃度低下手段は墨入れ処理手段であって、前記墨入れ処理手段は、前記彩度変換手段で変換された画像に基づき墨入れを行うとき、最大墨量となる入力画像の階調値を当該画像形成装置の最大階調値よりも低下させて墨入れを行う画像形成装置。
【請求項３】
請求項１に記載された画像形成装置において、
前記濃度低下手段は、γ補正手段であって、前記γ補正手段は、入力画像に基づき墨入れ処理手段で墨入れした入力画像の階調値を、当該画像形成装置の最大階調値よりも低下させるようγ補正を行う画像形成装置。
【請求項４】
請求項１ないし３のいずれかに記載された画像形成装置において、
画像読取手段を有し、
画像読取手段で読み取った読取画像の濃度のうち、所定の濃度範囲までの濃度を向上させる濃度向上手段を有する画像形成装置。
【請求項５】
請求項１ないし４のいずれかに記載された画像形成装置において、
入力画像に絵柄があるか否かの判定を行う絵柄判定手段を備え、前記裏写り判定手段が裏写り有と判定したとき、判定結果に基づき裏写りを防止するよう当該画像の彩度と墨量を変更する画像形成装置。
【請求項６】
請求項１ないし５のいずれかに記載された画像形成装置において、
出力用紙の透過率を計測する透過率計測手段を備えた画像形成装置。
【請求項７】
入力画像を出力画像に変換する画像処理手段を備えた画像形成装置における画像処理方法であって、
両面印刷を行った時に出力用紙の裏写りの有無を判定する裏写り判定工程と、
裏写り判定工程で裏写り有と判定したとき、入力画像の彩度値のうち所定の彩度値以下の彩度を無彩度に変換する彩度変換工程と、
前記彩度変換工程で変換された入力画像の濃度を一律に低下させる濃度低下工程とを有し、
前記濃度低下工程で前記入力画像の濃度を低下させて前記裏写りを防止する画像処理方法。
【請求項８】
請求項７に記載された画像処理方法において、
画像読取工程を有し、画像読取工程で読み取った読取画像の所定の濃度範囲までの濃度を向上させる濃度向上工程を有する画像処理方法。
【発明の詳細な説明】
【技術分野】
【０００１】
本発明は、画像形成装置及び画像形成装置における画像処理方法に関する。
【背景技術】
【０００２】
画像形成装置において、出力を行う用紙によってはその厚みにより、両面出力を行った場合に裏面に形成されている画像が写り込む裏写りが発生する。そこで、裏写りを発生させないために、用紙等の出力媒体（以下、単に用紙という）の光透過率を測定して感光体の表面電位制御或いは書込み強度制御を変更してトナー付着量を設定することが知られている。
【０００３】
この従来の方法は、裏面の写り込みを低減するために、用紙の光透過率を測定して画像形成条件を設定し、画像全体を一様に濃度低下させるものである。そのため、濃度の濃い部分については、最適な濃度で出力することができても、ハイライトから中濃度の中間調濃度の濃度部分については、出力結果が読み難くなるという問題が発生する。
【０００４】
例えば、特許文献１（特開平１０−１６１３６７号公報）には、両面出力時において、裏面の画像（出力内容）が表面に透過する裏写りを低減させる目的で、ユーザーが画像形成条件を設定する際に、用紙の光透過率を測定して予め画像濃度を設定する画像濃度設定方法が記載されている。
【０００５】
この画像濃度設定方法は、用紙の情報に基づき画像形成条件を変更する点では、以下で説明する本発明と類似している点がある。
しかし、この画像濃度設定方法では、用紙出力媒体の光透過率を測定して画像形成条件を設定する場合、画像全体を一様に濃度低下させるため、原稿中の情報によっては出力結果が読み難くなるという問題は解消されない。
【発明の概要】
【発明が解決しようとする課題】
【０００６】
本発明は、前記従来の問題に鑑みてなされたものであって、その目的は、用紙の裏写りを防止するため、画像濃度の調整を行う際に、その濃度を一律に低下させても、出力画像の判読性を維持できるようにすることである。
【課題を解決するための手段】
【０００７】
本発明は、入力画像を出力画像に変換する画像処理手段を備えた画像形成装置であって、両面印刷を行った時に出力用紙の裏写りの有無を判定する裏写り判定手段と、裏写り判定手段が裏写り有と判定したとき、入力画像の彩度値のうち所定の彩度値以下の彩度を無彩度に変換する彩度変換手段と、前記彩度変換手段で変換された入力画像の濃度を一律に低下させる濃度低下手段と、を有し、前記濃度低下手段で前記入力画像の濃度を低下させて前記裏写りを防止する画像形成装置である。
【発明の効果】
【０００８】
本発明によれば、用紙の裏写りを防止するため、画像濃度の調整を行う際に、その濃度を一律に低下させても、出力画像の判読性を維持することができる。
【図面の簡単な説明】
【０００９】
【図１】図１Ａは、本発明の実施形態に係る画像形成装置の画像処理手段の制御ブロック図であり、図１Ｂは、図１Ａに示す画像形成装置の画像処理手段の制御ブロック図である。
【図２】色補正部において彩度補正を行う場合に適用する、彩度の入力値と出力値の関係を表す特性曲線の一例を示す図である。
【図３】裏写りを考慮しない従来の一般的な墨入れ処理を行うため、墨入れ処理部に適用される入力階調値と出力階調値の関係を示す特性曲線を示す図である。
【図４】最大墨量となる階調値を低下させるため墨入れ処理部に適用される入力階調値と出力階調値の関係を示す特性曲線を示す図である。
【図５】最大墨量となる階調値を低下させるためγ補正部に適用される入力階調値と出力階調値との関係を示す特性曲線を示す図である。
【図６】画像形成装置の画像処理手段において行われる裏写り防止のための処理手順を示すフロー図である。
【図７】画像形成装置の画像処理手段の他の制御ブロック図である。
【図８】用紙厚判定結果をスキャナγ補正に利用する場合のスキャナγ曲線を示す図である。
【図９】画像形成装置の画像処理手段において行われる裏写り防止のための他の処理手順を示すフロー図である。
【図１０】画像形成装置の画像処理手段において行われる更に他の裏写り防止のための処理手順を示すフロー図である。
【図１１】他の画像形成装置における画像処理手段の制御ブロック図である。
【図１２】透過率を計測する手段を概略的に示す図である。
【発明を実施するための形態】
【００１０】
本発明の実施形態の説明に先立って、まず、本発明の特徴を説明する。
既に述べたように、出力用紙の用紙厚が薄い場合、両面印刷を行うと裏写りする可能性が高くなる。そのような場合に出力画像の濃度を全体的（一律）に下げることで、裏写りを抑えることができる。
しかし、全体的に濃度を下げると、ハイライトから中間濃度（ミドル）の比較的濃度が薄い部分の濃度も一律に低下する。そのため、本発明では、濃度を全体的に下げても画像の判読性を下げることがないように、予め画像入力時に画像の彩度を下げておく。これは、彩度を下げることで画像の輪郭が残りやすくなり、濃度を下げても画像の判読性を維持することができるためである。なお、出力時に高濃度部のみその濃度を下げる対応も考えられるが、そのような対応を採ると、全体的な階調性が悪くなる。そのため、本発明では濃度の下げ方は一律とする。
【００１１】
次に、以上で述べた本発明の特徴を、その実施形態について図面を参照して説明する。
図１Ａは、本発明の実施形態に係る画像形成装置１の画像処理手段１００の制御ブロック図であり、図１Ｂは、図１Ａに示す画像形成装置１の画像処理手段１００の制御ブロック図である。
本画像処理手段１００の制御ブロックは、概略的には、図１Ａに示すように画像処理手段１００を中心に、入力手段１０１と、用紙判定手段１０２と、出力手段１０３とから成っており、例えば、デジタル画像のＲＧＢ系のカラー入力画像をＣＭＹＫ系の出力画像に変換する処理を行う。
【００１２】
用紙判定手段１０２は、機器情報として入力されるデータを使用して用紙判定を行う。即ち、通常、画像形成装置１に用紙を設置する場合、トレイの設定を行う際にサイズや用紙の種類を設定する。その際に、用紙厚情報として用紙の坪量を設定するようにする。また、両面出力するか否かも、ユーザーの設定情報で判定する。この判定結果を画像処理手段１００に入力して処理を行う。
【００１３】
画像処理手段１００は、図１Ｂに示すように、スキャナγ補正部１０４、フィルタ部１０５、色補正部１０６、墨入れ処理部１０７、γ補正部１０８、階調処理部１０９を備えている。
画像処理手段１００は、用紙判定手段１０２の判定結果に基づいて補正処理を行う。即ち、用紙判定手段１０２による判定結果は、本実施形態では、画像処理手段１００の色補正部１０６、墨入れ処理部１０７、γ補正部１０８に入力され、判定結果を反映した処理が行われる。
なお、図中、用紙判定手段１０２による判定結果は、墨入れ処理部１０７とγ補正部１０８に同時に入力されるように描かれているが、実際にはそのいずれか一方に入力されるものであって、同時に入力されることはない。
【００１４】
ここで、用紙判定手段１０２は、本発明の裏写り判定手段に対応し、用紙情報、ここでは用紙厚に応じて、両面印刷を行ったとき裏写りするか否か判定する。
色補正部１０６は、本発明の彩度変換手段に対応し、用紙判定手段１０２の判定（裏写りするか否かの判定）に基づき、入力画像（入力信号）の彩度値を変更する処理を行う。
墨入れ処理部１０７、γ補正部１０８は、本発明の濃度低下手段に対応し、用紙判定手段１０２の判定に基づき、彩度値の変更処理を行った入力画像における濃度を一律に低下させる処理を行う。
【００１５】
次に、判定結果に基づき実行される、色補正部１０６における彩度補正、墨入れ処理部１０７、γ補正部１０８における濃度の低下処理の手順について説明する。
図２は、色補正部１０６において彩度補正を行う場合に適用する、彩度の入力値と出力値の関係を表す特性曲線の一例を示す図である。
ここで、彩度値は、最大彩度を１００（％）として、色補正部１０６の入力値に対する出力値を数値（％）で示す。
図２において、破線で表す特性曲線は通常動作時における入力値の補正特性を示し、実線は裏写り防止時に行う低彩度用の補正特性の一例を示したものである。即ち、色補正部１０６では、例えば、入力信号のＲ（レッド）、Ｇ（グリーン）、Ｂ（ブルー）値を、ＨＬＳ値（Ｈ；Hue (色相)値,Ｌ； Lightness (明度)値,Ｓ； Saturation (彩度)値）に変換し、その変換したＨＬＳ値の彩度値の範囲（図示例では、１〜２５％の範囲）の彩度を無彩度（０％）に収束させる、つまり彩度値を下げる処理を行う。それ以後については、つまり、２５％を超える範囲については、階調性を損なわないように図示の補正特性としている。
【００１６】
なお、後段の処理（濃度の一律低下処理）は、この彩度処理を行ったＨＬＳ値を再度ＲＧＢ値に変換して行う。また、この場合に用いるＲＧＢとＨＬＳの相互変換式は一般的に使用されているものを使用することができる。また、以上の処理以外に、例えば、ＲＧＢ値をｓＲＧＢ（standardRGB）に変換し、更にＬ＊ａ＊ｂ＊に変換する方法を用いることもできる。
この処理により、読み込んだ入力画像のＲＧＢ値がばらついた場合でも、ある程度一定範囲（図示例では、入力彩度値の０〜２５％まで）を無彩色として扱うことができ、次工程の墨入れ処理部１０７での墨入れ量を調整することができる。
【００１７】
次に、以上のように彩度を低下させた画像の濃度を一律に低下させる処理について説明する。なお、ここでは、これに先立って、これと対比するために、従来の裏写りを考慮しない、それ自体公知の一般的な墨入れ処理（例えば特開２００７−３０７８８５公報参照）について説明する。
図３は、裏写りを考慮しない従来の一般的な墨入れ処理を行うため、墨入れ処理部１０７に適用される入力階調値と出力階調値の関係を示す特性曲線を示す図である。
ところで、ＲＩＰ（Raster Image Processor）を通して形成される印刷用のカラー面積階調画像（シアン（Ｃ）、マゼンタ（Ｍ）、イエロー（Ｙ）、墨（Ｋ）の４版の印刷用の面積階調画像）では、通常、Ｃ、Ｍ、Ｙ版よりもＫ版の方がドット当りの視認性が高い。そのため、墨入れ処理において、黒が入り始める低階調部でＫ版を使用すると粒状感が高くなり画質が悪くなることが知られている。
【００１８】
そのため、通常処理では、黒が入り始める低階調部ではＣＭＹ版のコンポジットブラックで黒を形成し、濃度が上がってきたところでＫ版を入れる処理を行っている。つまり、一般的な墨入れ処理にあっては、粒状感で画質が悪くなる問題に対処するために、図３に示すように、Ｋ版の使用を開始する階調は入力階調値の２５％以上の階調に設定している。
また、墨入れ処理に対する下地除去（ＵＣＲ）処理手順は、以下に示す（１）式で表される手順を用いる。なお（１）式中、ｐは、ＵＣＲ率と呼ばれ０＜p≦１００％の任意の値が選択される。
【００１９】
Ｋ＝ｐ・ｍｉｎ（Ｙ、Ｍ、Ｃ）
Ｙ’＝Ｙ−Ｋ
Ｍ’＝Ｍ−Ｋ
Ｃ’＝Ｃ−Ｋ・・・（１）
即ち、式（１）は、ＣＭＹ版で形成されるデータに墨入れした場合に、その値がどうなるかを示している。ここで墨入れは、Ｃ＝Ｍ＝Ｙのデータ量をＫに置き換える処理である。したがって、例えば、濃度を、それぞれＹ＝６０、Ｍ＝８５、Ｃ＝９０とし、かつｐ＝１００％とすると、Ｃ＝Ｍ＝Ｙのデータ量は、この場合は６０であり、式（１）から、墨入れ後は、Ｋ＝６０、Ｙ’＝０、Ｍ’＝２５、Ｃ’＝３０になる。
【００２０】
また、総量規制値と最大墨入れ量の関係から、最大にインク（又はトナー）を使用する場合（最大の黒を形成する場合）においても総量規制処理が掛からないようなＵＣＲ率を設定し、インク付着量を低減する。そのため、これも、公知の（２）式で最大下地除去量（ＵＣＲ量）を求め、墨入れ開始階調値から最大階調値までを線形にすることで各階調値のＵＣＲ量を求める。
（総量規制値）−（最大ＢＧ（黒生成）量）＝（ＣＭＹ版が打てる量）
（ＣＭＹ版が打てる量）／３＝（１版当たりの打てる量）
（単色最大量）−（１版当たりの打てる量）＝最大ＵＣＲ量・・・（２）
即ち、式（２）では、使用されるインク量を計算する。この式（２）で、インクの総量（紙上に載せられる最大インク量）規制に掛からないように、ＵＣＲ率を算出して設定する。つまり、インクの総量規制に掛かると、インク量が一律にカットされるため、制御的に所望の濃度と違ったものになる。したがって、これを防止することが必要である。
公知の一般的な墨入れ処理及びＢＧ処理では、以上のようにして、（黒生成（ＢＧ）処理）とＵＣＲ処理（ＢＧ処理によってＫの画像が増えた分ＣＭＹの各色の階調を低く（ドットを少なく）して全体としての濃度や色合いを保つための処理）を行っている。
【００２１】
図４は、本実施形態において、最大墨量となる階調値を低下させるため墨入れ処理部１０７に適用される入力階調値と出力階調値の関係を示す特性曲線を示す図である。
本実施形態では、用紙厚判定に基づく裏写り判定結果から、文字の判読性を下げることなく裏写り防止を行うため、墨入れ処理部１０７を、図４に示すように画像形成装置１が採り得る最大の階調よりも低い階調で墨入れ量が最大となるように設定する。
具体的には、最大墨量となる階調（濃度）が、画像形成装置が採り得る最大階調値の６５〜１００％未満、例えば７０％の階調となるように変更している。つまり、入力画像（入力信号）濃度を全体として低下させる。
【００２２】
これにより、黒が入り始める低階調部でＫ版を使用しても粒状感により画質が悪くなることが防止され、Ｋ版を早い階調で積極的に使用することができる。つまり、入力手段（例えば、スキャナ）１０１から入力された信号の黒が（Ｒ，Ｇ，Ｂ＝０，０，０）でなくても、ＣＭＹ版よりもドット当りの視認性が高いＫ版を使用することができる。したがって、入力信号の濃度を全体的に低下させても文字の先鋭性を保つことが出来る。
【００２３】
次に、入力信号全体の濃度を低下させる別の手法として、γ補正部１０８で行う処理について説明する。
図５は、最大墨量となる階調値を低下させるためγ補正部１０８に適用される入力階調値と出力階調値との関係を示す特性曲線を示す図である。
即ち、最大墨量（Ｋ版量）を最大階調値より低い階調値に設定するための処理としては、上述の墨入れ処理部１０７だけではなく、それに代わって、後段のγ補正部１０８で実施することもできる。
図５に示すように、Ｋ版に関するγ曲線を、破線で示す通常のγ曲線から実線で示すγ曲線のように調整する（即ち、画像全体の濃度を下げる）ことで、上述の墨入れ処理と同様の効果を得ることも出来る。
これはγ補正により、最大墨量となる階調を、画像形成装置が採り得る最大階調値の６５〜１００％未満、例えば７０％の階調となるようにγ曲線を遷移させることで実現する。
【００２４】
次に、画像処理手段１００が、以上で説明した各処理部（色補正部、墨入れ処理部、γ補正部）を用いて行う裏写り低減のための処理手順について説明する。
図６は、画像形成装置１の画像処理手段１００において行われる裏写り防止のための処理手順を示すフロー図である。
まず、最初に画像出力動作が指定されると、出力手段（画像出力手段）１０３に関する情報から両面出力が設定されているか否か判定する（Ｓ１０１）。両面出力が設定されているときは（Ｓ１０１、設定あり）、次に、用紙種の設定に基づく用紙判定手段１０２の判定から裏写り防止のための変更の設定（以下、単に裏写り変更設定という）がなされているか否か判定する（Ｓ１０２）。ここで、裏写り変更設定がなされているときは（Ｓ１０２、設定あり）、裏写り低減のための設定を行う（Ｓ１０３）。ここでは裏写り低減設定は、上述の彩度補正及び、墨入れ処理（又は画像全体の濃度を下げるγ補正）の設定が行われる。この墨入れ処理（又はγ補正）の設定は、用紙判定手段１０２の判定結果に基づき、一律に濃度を下げる設定とすればよい。
ステップＳ１０１とＳ１０２で、それぞれ設定なしの場合は、裏写り時の設定を行わない通常設定（Ｓ１０４）となる。
本実施形態では、このように、上述のフロー図で示す処理手順で通常動作の設定と裏写り設定を切り替えて、処理を行う。
【００２５】
図７は、画像形成装置１の画像処理手段１００の他の制御ブロック図である。
この制御ブロック図は、図１Ｂのそれと比べて、スキャナで読み取った読取画像のγ補正を行うスキャナγ補正部１０４にも用紙判定手段１０２の用紙の裏写り判定結果が入力されている点、即ち、スキャナγ補正部１０４によるスキャナγ補正が付加されている点で異なり、その他の点では一致している。
用紙判定手段１０２は、例えば、機器情報として入力されるデータを使用して用紙の裏写りの判定を行う。通常、画像形成装置１に用紙を設置する場合、トレイの設定を行う際にサイズや用紙の種類を設定する。その際に、用紙厚情報として用紙の坪量を設定するようにする。また、両面出力するか否かも、ユーザーの設定情報で判定する。この判定結果を画像処理手段１００に入れて処理を行う。
【００２６】
図７において、用紙判定手段１０２の判定結果は、画像形成装置１のスキャナγ補正部１０４と、色補正部１０６、墨入れ処理部１０７（又はγ補正部１０８）に入力され、それぞれ用紙判定結果を反映した処理が行われる。
ここでも、用紙判定手段１０２の判定結果は、墨入れ処理部１０７（又はγ補正部１０８）に入力される。
【００２７】
図８は、用紙厚判定結果をスキャナγ補正に利用する場合のスキャナγ曲線を示す図である。
画像入力時の図示しないシェーディング補正までの処理動作は通常の画像形成装置と同じである。しかし、本実施形態では、その後のスキャナγ補正時に補正されたγが使用される。
これは、スキャナγを事前に調整することによって、読取画像（入力画像）の所定の濃度範囲、即ちハイライトから中濃度までの出力値を大きくして、画像濃度を向上させるためである。即ち、出力紙の用紙厚情報に応じて画像濃度を下げる場合は、既に述べたように全体的に濃度を下げるため、その濃度の低下分を加味して、事前にハイライトから中濃度までは少し画像濃度を上げておく、つまり濃くしておくためである。
どの程度画像濃度を上げておくかは、テスト結果などに基づき任意に調整すればよい。
【００２８】
本実施形態では、図８に示すように、用紙厚判定結果が片面出力、若しくは用紙厚が所定の閾値以上である場合は、通常動作として、破線で示したγが使用される。そうでない場合は、低彩度用の実線で示したγが使用される。低彩度用のγ補正の方が通常のγよりも中濃度からハイライトにかけて出力値を大きくしている。
したがって、スキャナγ補正部１０４は、本発明の読取画像の濃度向上手段に対応する。
【００２９】
図９は、画像形成装置１の画像処理手段１００において行われる裏写り防止のための図７の制御ブロックにおける処理手順を示すフロー図である。
まず、最初に画像出力動作が指定されたとき、出力手段（画像出力手段）１０３に関する情報から両面出力の設定がされているか否か判定する（Ｓ２０１）。ここで、両面出力設定の設定がなされているときは（Ｓ２０１、設定あり）、次に、紙種の設定から、用紙判定手段１０２は、裏写り変更設定がなされているか否か判定する（Ｓ２０２）。裏写り変更設定がなされているときは（Ｓ２０２、設定あり）、スキャナγ補正部１０４で事前にハイライトから中濃度までの画像濃度を少し上げる処理、即ちスキャナγ補正を行う（Ｓ２０３）。次に、裏写り低減用の設定に基づく処理、つまり、画像の彩度を上げ、次にその濃度を一律に下げる処理を行い（Ｓ２０４）、出力する。
ステップＳ２０１とＳ２０２で、それぞれ設定なしであれば、通常設定（Ｓ２０５）となる。
【００３０】
図１０は、画像形成装置１の画像処理手段１００において行われる更に他の裏写り防止のための処理手順を示すフロー図である。
最初に画像出力動作が指定されたとき、出力手段（画像出力手段１０３）の情報から両面出力の設定がされているか否か判定する（Ｓ３０１）。設定がなされているときは（Ｓ３０１、設定あり）、次に、用紙種の設定から裏写り変更設定がなされているか否か判定する（Ｓ３０２）。裏写り変更設定がなされているときは（Ｓ３０２、設定あり）、まずスキャナγ補正部１０４が裏写り低減用の設定となり、γ補正が行われる（Ｓ３０３）。ステップＳ３０１とＳ３０２でそれぞれ設定なしの場合は、通常設定（Ｓ３０７）となる。
【００３１】
次に、図示しない絵柄判定手段は、それ自体公知のものであり（一例として特開２０００−１２５１２３号公報参照）、像域分離の情報から、出力の表・裏それぞれに図柄があるか否かの判定を行い（Ｓ３０４）、図柄がある場合（Ｓ３０４、図柄あり）は、文字・図柄用裏写り低減用の設定を行い（Ｓ３０５）、出力処理を行う。また、図柄がない場合（Ｓ３０４、図柄なし）は、文字用裏写り低減用の設定を行い（Ｓ３０６）、出力処理を行う。
ここで、裏写り低減の設定としては、上記のスキャナγ補正、彩度補正、墨入れ処理（又は画像全体の濃度を下げるγ補正）の設定が行われる。なお、γ補正の場合のγの設定は、用紙判定手段１０２の判定結果に基づき、一律に濃度を下げる設定とすればよいが、その際に図柄の有無で、濃度の下げ量を変更する。
【００３２】
即ち、図柄がある場合は、裏写りに影響が大きいため、例えば図柄がない場合に比べ濃度を１０％下げ、下げ幅を大きくする。但し、用紙厚による影響もあるため、一律１０％に定める必要はない。その数値は、裏写りの状態をみて適宜決定すればよい。
【００３３】
図１１は、他の画像形成装置２における画像処理手段２００の制御ブロック図である。
以上で説明した実施形態では用紙厚の判定手段として、機器情報を利用するとしているが、本実施形態では、実際に出力する用紙の透過率を計測して、その計測結果を使用する。
本実施形態では、本制御ブロックは、画像処理手段２００を中心に入力手段２０１と、透過率計測手段２０２と、用紙判定手段２０３と、出力手段２０４で構成されている。
即ち、例えば、用紙出力時の搬送前に用紙の片側から光を透過させその透過光量を透過率計測手段２０２で計測する。その際に透過光量に閾値を設けて、閾値を超える透過光量の場合は、彩度補正を行う。
【００３４】
図１２は、透過率を計測する手段を概略的に示す図である。
透過率計測手段は、用紙搬送位置に固定された変位検出ヘッド２１２を備えている。変位検出ヘッド２１２は、レーザ発光ダイオード２１２ａおよびフォトトランジスタ２１２ｂで構成されている。レーザ発光ダイオード２１２ａおよびフォトトランジスタ２１２ｂは、レーザ発光ダイオード２１２ａが発するレーザが用紙を通過してフォトトランジスタ２１２ｂに入射するように、互いの光軸が合うように配設されている。したがって、用紙２１１が無い状態（用紙厚＝０）でフォトトランジスタ２１２ｂの受光量は最大となる。
【００３５】
用紙２１１が変位検出ヘッド２１２に進入すると、それによってフォトトランジスタ２１２ｂの受光量が下がる。用紙厚が厚いほど、フォトトランジスタ２１２ｂの受光量の低下が大きい。レーザ発光ダイオード２１２ａ及び、フォトトランジスタ２１２ｂが接続された変位検出回路２１３が、フォトトランジスタ２１２ｂの受光量（用紙厚に反比例）に比例する透過率信号を発生する。
用紙判定手段２０３は、透過率計測手段２０２の透過率信号を受けて、用紙の裏写り有無を判定する。その後の処理は、既に説明した実施形態と同様である。
【００３６】
既に述べたように、出力用紙の情報によって用紙出力媒体の濃度を設定する際に、一律に低下させるとハイライトから中間調の画像濃度も低下してしまう。これに対し、本実施形態では、以上で説明したように、事前に画像全体の彩度を下げて入力画像のハイライトから中間調までを濃く処理することができる。また、墨率を上げることで画像の判読性を維持してインク（又はトナー）付着量を低減することができる。そのため、出力用紙の情報を使用して用紙出力媒体の濃度を設定する際に、入力画像の彩度を落としてハイライトの視認性を保持し、且つ、墨率を高めてインク（又はトナー）の付着量を減少させることができる。
【００３７】
本実施形態によれば、さらに以下の利点も得られる。即ち、
（１）黒を生成する方法を、墨入れ処理部だけでなく、スキャナγを補正して低濃度部を濃くする手段を追加することで、裏写り低減時の文字判読性を保持できる。
（２）両面出力を行う際に裏写りの影響を受け易い絵柄があるか否かの判定を行い、出力画像の処理方法を変更して、裏写り低減を図ることができる。
（３）出力用紙の透過率を判定する際に、実際の画像形成装置の状態に合わせることで、判定精度を向上するという効果がある。
【符号の説明】
【００３８】
１，２・・・画像形成装置、１００，２００・・・画像処理手段、１０１，２０１・・・入力手段、１０２・・・用紙判定手段、１０３・・・出力手段、１０４・・・スキャナγ補正部、１０５・・・フィルタ部、１０６・・・色補正部、１０７・・・墨入れ処理部、１０８・・・γ補正部、１０９・・・階調処理部、２０２・・・透過率計測手段、２０３・・・用紙判定手段、２０４・・・出力手段、２１１・・・用紙、２１２・・・変位検出ヘッド、２１３・・・変位検出回路。
【先行技術文献】
【特許文献】
【００３９】
【特許文献１】特開平１０−１６１３６７号公報
【特許文献２】特開２００６−２５１０４７号公報
【図１】
2015051610.tif 000003
【図２】
2015051610.tif 000004
【図３】
2015051610.tif 000005
【図４】
2015051610.tif 000006
【図５】
2015051610.tif 000007
【図６】
2015051610.tif 000008
【図７】
2015051610.tif 000009
【図８】
2015051610.tif 000010
【図９】
2015051610.tif 000011
【図１０】
2015051610.tif 000012
【図１１】
2015051610.tif 000013
【図１２】
2015051610.tif 000014